(57)【要約】【課題】左右で対をなす縦セグメントに左右それぞれから光を当てて発光させる表示器において、「１」が「１１」になるのを防止すること。【解決手段】縦長セグメント４Ｒを左側に通り抜けた漏出光は表Ｖ谷溝２１Ｒと裏Ｖ谷溝２２Ｒとの何れかに入射する。表Ｖ谷溝２１Ｒに入射した漏出光の多くは第１のり面２１ａによって背面側に反射され（矢印Ｗ１）、第１のり面２１ａから出て第２のり面２１ｂに入射しても、第２のり面２１ｂによって前面側に反射される（矢印Ｗ２）。裏Ｖ谷溝２２Ｒに入射した漏出光の多くは第１のり面２２ａによって前面側に反射され（矢印Ｗ３）、第１のり面２２ａから出て第２のり面２２ｂに入射しても、第２のり面２２ｂによって背面側に反射される（矢印Ｗ４）。漏出光のほとんどが背後側又は前面側に放出されるので、漏出光が縦長セグメント４Ｌに入射して縦長セグメント４Ｌを発光させるのは防止される。【選択図】図２
2010091964.tif 000002
【特許請求の範囲】
【請求項１】
長方形状の透明板と、前記透明板の端面に光を照射する光源とを備えており、
前記透明板には、前記透明板の背面部に形成されたプリズムアレイを含んで構成されて、前記光源から照射されて前記透明板の内部を通って前記プリズムアレイに入射した光を前記透明板の前面方向に反射させることで発光するセグメントが設けられている
発光表示器において、
各稜線が前記透明板の上下方向に沿っていて、前記透明板の右辺側から入射した光は前記透明板の前面方向に反射し、前記透明板の左辺側から入射した光は前記透明板の背面方向に反射する右入射発光型の前記プリズムアレイを備える前記セグメントを右セグメントとなし、
各稜線が前記透明板の上下方向に沿っていて、前記透明板の左辺側から入射した光は前記透明板の前面方向に反射し、前記透明板の右辺側から入射した光は前記透明板の背面方向に反射する左入射発光型の前記プリズムアレイを備える前記セグメントを左セグメントとなして、
前記右セグメントを相対的に右側に、前記左セグメントを相対的に左側にして互いに離れさせて配置し、
前記透明板の板厚の１／２を上回る深さで前記透明板の上辺から下辺へと直線状に至るＶ谷溝を、前記右セグメントの左側にて前記透明板の前面部と背面部に各１本ずつ、前記左セグメントの右側にて前記透明板の前面部と背面部に各１本ずつ設けた
ことを特徴とする発光表示器。
【請求項２】
前記プリズムアレイは前記透明板の背面部を前面側に凹陥させた形状の凹陥部に設けられている
ことを特徴とする請求項１記載の発光表示器。
【請求項３】
前記右セグメント及び前記左セグメントが縦長形状である請求項１又は２記載の発光表示器２つを前記透明板の上下方向に沿って２段に並べて配置し、
横幅は請求項１又は２記載の発光表示器の前記透明板とほぼ等しいが上下寸法が前記透明板よりも小さい長方形状の横長透明板を基体としており、前記横長透明板の背面部に形成されたプリズムアレイを含んで構成されて、光源から照射されて前記横長透明板の内部を通って前記プリズムアレイに入射した光を前記横長透明板の前面方向に反射させることで発光する横長形状のセグメントが１つ設けられている単セグメント板を、
相対的に上に位置する前記発光表示器の上方、前記２つの発光表示器の間及び相対的に下に位置する前記発光表示器の下方に各１枚ずつ配置して、２組の前記右セグメント及び前記左セグメントと前記３つの横長セグメントとを８字状に組み合わせ、
前記８字状に組み合わせられた前記７つのセグメントを選択的に発光させることで０〜９の数字を表示する７セグメント表示器。
【発明の詳細な説明】
【技術分野】
【０００１】
本発明は、発光表示器の技術分野に属する。
【背景技術】
【０００２】
パチンコ機等の遊技機では７セグメント表示器が使用されることがある。一例として特開２０００−１４８７９号公報（特許文献１）に開示の可変表示装置がある。特許文献１の可変表示装置は、７つのセグメント（２２ａ〜２２ｇ）を複数配列した表示板（２１）の裏側に、各セグメント（２２ａ〜２２ｇ）に対応位置して複数のＬＥＤランプ（１９）をそれぞれ配置し、各ＬＥＤランプ（１９）を発光制御することで０〜９の数字を表示する構成である。
【０００３】
一方、背面部にプリズムアレイが形成された長方形状の透明板と、この透明板の端面に光を照射する光源とを備えており、前記光源から照射されて前記透明板の内部を通って前記プリズムアレイに入射した光を前記透明板の前面方向に反射させることで面状に発光させる技術があり、例えば液晶表示器のバックライトに利用されている（特許第２９１１４４４号公報）。
【特許文献１】特開２０００−１４８７９号公報
【特許文献２】特許第２９１１４４４号公報
【発明の開示】
【発明が解決しようとする課題】
【０００４】
特許文献２の技術を特許文献１のような７セグメント表示器に適用して、長方形状の透明板と、前記透明板の端面に光を照射する光源とを備えており、前記透明板には、前記透明板の背面部に形成されたプリズムアレイを含んで構成されて、前記光源から照射されて前記透明板の内部を通って前記プリズムアレイに入射した光を前記透明板の前面方向に反射させることで発光するセグメントを７つ８字状に設けて、透明板による７セグメント表示器を実現することが考えられる。
【０００５】
この場合、光源は透明板の左右両側に配して、例えば「１」を表示する（右側に配されている縦の２セグメントを発光させる）には、右側の光源を点灯し左側は消灯する構成が考えられる。
【０００６】
ところが、右側の光源から射出された光が、右側の縦の２セグメントを発光させる（「１」を表示）だけでなく、光の一部が左側の縦の２セグメントにまで達して発光させてしまう（１１のようになる）という問題がある。なお、光源を透明板の上下に配しても同様の問題が生じる。
【０００７】
つまり、特許文献２の技術を特許文献１のような７セグメント表示器に適用しても、それのみでは良好な７セグメント表示は実現できなかった。
なお、特許文献２に代表される技術は透明板の全面を発光させる技術であるから、透明板の一部だけをセグメントとして発光させる際の上記課題とは無関係である。
【課題を解決するための手段】
【０００８】
請求項１記載の発光表示器は、
長方形状の透明板と、前記透明板の端面に光を照射する光源とを備えており、
前記透明板には、前記透明板の背面部に形成されたプリズムアレイを含んで構成されて、前記光源から照射されて前記透明板の内部を通って前記プリズムアレイに入射した光を前記透明板の前面方向に反射させることで発光するセグメントが設けられている
発光表示器において、
各稜線が前記透明板の上下方向に沿っていて、前記透明板の右辺側から入射した光は前記透明板の前面方向に反射し、前記透明板の左辺側から入射した光は前記透明板の背面方向に反射する右入射発光型の前記プリズムアレイを備える前記セグメントを右セグメントとなし、
各稜線が前記透明板の上下方向に沿っていて、前記透明板の左辺側から入射した光は前記透明板の前面方向に反射し、前記透明板の右辺側から入射した光は前記透明板の背面方向に反射する左入射発光型の前記プリズムアレイを備える前記セグメントを左セグメントとなして、
前記右セグメントを相対的に右側に、前記左セグメントを相対的に左側にして互いに離れさせて配置し、
前記透明板の板厚の１／２を上回る深さで前記透明板の上辺から下辺へと直線状に至るＶ谷溝を、前記右セグメントの左側にて前記透明板の前面部と背面部に各１本ずつ、前記左セグメントの右側にて前記透明板の前面部と背面部に各１本ずつ設けた
ことを特徴とする。
【０００９】
請求項１記載の発光表示器では、
各稜線が透明板の上下方向に沿っていて、透明板の右辺側から入射した光は透明板の前面方向に反射し、透明板の左辺側から入射した光は透明板の背面方向に反射する右入射発光型のプリズムアレイを備えるセグメントを右セグメントとなし、
各稜線が透明板の上下方向に沿っていて、透明板の左辺側から入射した光は透明板の前面方向に反射し、透明板の右辺側から入射した光は透明板の背面方向に反射する左入射発光型のプリズムアレイを備えるセグメントを左セグメントとなして、
右セグメントを相対的に右側に、左セグメントを相対的に左側にして互いに離れさせて配置しているので、透明板の右辺側から光を入射すれば右セグメントを発光させ、透明板の左辺側から光を入射すれば左セグメントを発光させることができる。
【００１０】
また、請求項１記載の発光表示器では、
透明板の板厚の１／２を上回る深さで透明板の上辺から下辺へと直線状に至るＶ谷溝を、右セグメントの左側にて透明板の前面部と背面部に各１本ずつ、左セグメントの右側にて透明板の前面部と背面部に各１本ずつ設けてある。なお、Ｖ谷溝は透明板の板厚の１／２を上回る深さであるから、透明板の前面部と背面部に各１本ずつ設けるにあたっては、両者の位置を左右方向にずらす必要がある。
【００１１】
右セグメントの左側にて透明板の前面部と背面部に各１本ずつのＶ谷溝を設けてあるので、右セグメントを発光させるために透明板の右辺側から入射した光の一部が右セグメントを透過してきたときには、Ｖ谷溝の「のり面」で反射して透明板の背面側へ（又は前面側へ）放射される。左セグメントについても同様である。
【００１２】
従って、右セグメントを発光させるための光が左セグメントに入射してこれを発光させることはなく、右セグメントだけを発光させるはずが（「１」を表示するはずが）、左セグメントまで発光させてしまう（１１のようになる）のを防止できるし、左セグメントだけを発光させるはずが右セグメントまで発光させてしまうことも防止できる。
【００１３】
請求項２記載の発光表示器は、前記プリズムアレイは前記透明板の背面部を前面側に凹陥させた形状の凹陥部に設けられていることを特徴とする請求項１記載の発光表示器である。プリズムアレイが凹陥部に設けられているから、つまりプリズムアレイの各稜線が凹陥部の内側にあるから、他と物体との衝突等で傷つくのを回避できる。
【００１４】
請求項３記載の７セグメント表示器は、
前記右セグメント及び前記左セグメントが縦長形状である請求項１又は２記載の発光表示器２つを前記透明板の上下方向に沿って２段に並べて配置し、
横幅は請求項１又は２記載の発光表示器の前記透明板とほぼ等しいが上下寸法が前記透明板よりも小さい長方形状の横長透明板を基体としており、前記横長透明板の背面部に形成されたプリズムアレイを含んで構成されて、光源から照射されて前記横長透明板の内部を通って前記プリズムアレイに入射した光を前記横長透明板の前面方向に反射させることで発光する横長形状のセグメントが１つ設けられている単セグメント板を、
相対的に上に位置する前記発光表示器の上方、前記２つの発光表示器の間及び相対的に下に位置する前記発光表示器の下方に各１枚ずつ配置して、２組の前記右セグメント及び前記左セグメントと前記３つの横長セグメントとを８字状に組み合わせ、
前記８字状に組み合わせられた前記７つのセグメントを選択的に発光させることで０〜９の数字を表示する。
【００１５】
請求項３記載の７セグメント表示器は、右セグメント及び左セグメントが縦長形状である請求項１又は２記載の発光表示器２つを透明板の上下方向に沿って２段に並べて配置して縦方向の４つのセグメントとしているので、上述した通り「１」を表示するはずが「１１」のようになることはない。
【００１６】
一方、横方向のセグメントについては、横幅は請求項１又は２記載の発光表示器の透明板とほぼ等しいが上下寸法が透明板よりも小さい長方形状の横長透明板を基体としており、横長透明板の背面部に形成されたプリズムアレイを含んで構成されて、光源から照射されて横長透明板の内部を通ってプリズムアレイに入射した光を横長透明板の前面方向に反射させることで発光する横長形状のセグメントが１つ設けられている単セグメント板を、相対的に上に位置する発光表示器の上方、２つの発光表示器の間及び相対的に下に位置する発光表示器の下方に各１枚ずつ配置している。
【００１７】
横長セグメントが設けられている単セグメント板（横長透明板）は、その下方又は上方に位置する発光表示器の透明板とは別々であるから、発光表示器の透明板から漏れた光が単セグメント板に入射して横長セグメントを光らせるおそれはないし、その逆に単セグメント板から漏れた光が発光表示器の透明板に入射して右又は左セグメントを光らせるおそれもない。
【発明を実施するための最良の形態】
【００１８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例の７セグメント表示器１は、横長形状の横長セグメント２が１つだけ設けられている単セグメント板３を３枚、縦長形状の縦長セグメント４Ｌ、４Ｒが２つ対をなして設けられている複セグメント板５を２枚備えており、それらが単セグメント板３、複セグメント板５、単セグメント板３、複セグメント板５、単セグメント板３の順で上から下へと積み重ね状に配されている。そして、それら単セグメント板３及び複セグメント板５の左右端部は、支持ケース７Ｌ、７Ｒによって保持されている。
【００１９】
単セグメント板３及び複セグメント板５は、ともにプラスチック製（例えばアクリル樹脂、ポリカーボネート等）の透明板であり、正面から見た形状は（支持ケース７Ｌ、７Ｒによって隠れる部分までを含めて）長方形状である。
【００２０】
但し、図２に示すように左右の端部には、背面側が斜面８のプリズム部９が形成されている。プリズム部９の前面は、光源であるＬＥＤ１２から照射される光の入射端面１０とされる。入射端面１０は平坦面でありＬＥＤ１２から放射される光の光軸Ｌｃは入射端面１０に垂直とされている。また斜面８も平坦面であるが、入射端面１０と斜面８との角度は４０度に設計されている。
【００２１】
ＬＥＤ１２は支持ケース７Ｌ、７Ｒの内部にビス１５によってネジ止めされたプリント基板１３に実装されている。また、プリント基板１３にはコネクタ１４も実装されていて、コネクタ１４を用いて制御部（図示せず）と接続される。
【００２２】
ＬＥＤ１２は複セグメント板５の左側（支持ケース７Ｌ）と右側（支持ケース７Ｒ）とに、それぞれ複数個が配されている。単セグメント板３についても同様である。但し、単セグメント板３の縦辺が複セグメント板５よりも短い分だけ１枚当たりのＬＥＤ１２の個数は単セグメント板３の方が少なく、本実施例では複セグメント板５が片側４個であるのに対して単セグメント板３は片側２個の配置になっている。
【００２３】
また、本実施例の場合、制御部は、各複セグメント板５については右側と左側とを別々に、そして各側については一斉に点灯、消灯させ、各単セグメント板３については右側と左側とを一斉に点灯、消灯させるように構成されているが、各ＬＥＤ１２の点灯を個別に（１つずつ）制御するように構成してもよい。
［複セグメント板５の詳細構成］
縦長セグメント４Ｒの前面部は、図２に示すようにかまぼこ状に凸形状の放射レンズ部１６になっている。
【００２４】
一方、放射レンズ部１６の背後には凹陥部１７が形成されている。凹陥部１７は、複セグメント板５の背面部を前面側に凹陥させた構造で、その底に相当する部分にはプリズムアレイ１８Ｒが設けられている。
【００２５】
プリズムアレイ１８Ｒは、複セグメント板５の厚み方向に平行な第１面１８ａと同厚み方向に対して傾斜している第２面１８ｂとを有するプリズム柱を多数本、その稜線１８ｃを複セグメント板５の上下方向に対して時計回りにわずかに傾いて（本実施例では上下方向に対して時計回りに７度傾かせて）並置した構造である。
【００２６】
第１面１８ａは複セグメント板５の厚み方向に平行であるため、図２において右から左方向に進んで来る光（一例を矢印Ｌｉで示す）が入射すると、その大部分を入射させ一部を反射する。
【００２７】
第２面１８ｂは、第１面１８ａとの角度が４５度以上（本実施例では５０度）であるため、図２において右から左方向に進んで来る光（一例を矢印Ｌｉで示す）が第２面１８ｂに入射すると、そのほとんどを放射レンズ部１６に向かう方向（図２において上向き、一例を矢印Ｌｒで示す）に反射する。逆に、図２において左から右方向に進んで来る光が第２面１８ｂに入射すると、そのほとんどを凹陥部１７に向かう方向（図２において下向き）に反射する。
【００２８】
縦長セグメント４Ｌも縦長セグメント４Ｒと同様に、前面部は凸形状の放射レンズ部１６になっており、その背後には凹陥部１７が形成されている。
また、凹陥部１７の底に相当する部分にはプリズムアレイ１８Ｌが設けられているが、その構造は、プリズムアレイ１８Ｒと鏡像的（正確な鏡像ではない）になっている。すなわち、プリズムアレイ１８Ｌを構成するプリズム柱の稜線の走行方向は、プリズムアレイ１８Ｒにおける稜線１８ｃの走行方向と平行である。また、第１面が複セグメント板５の厚み方向に平行である点も、第２面と第１面との角度が４６度以上（本実施例では５０度）である点もプリズムアレイ１８Ｒと同様である。しかし、第２面は、図２において左から右方向に進んで入射した光のほとんどを放射レンズ部１６に向かう方向（図２において上向き）に反射し、図２において右から左方向に進んで来る光が第２面に入射すると、そのほとんどを凹陥部１７に向かう方向（図２において下向き）に反射する点が、プリズムアレイ１８Ｒとは相違する。
【００２９】
縦長セグメント４Ｒの左側の前面部には、縦長セグメント４Ｒと平行状に走行する表Ｖ谷溝２１Ｒが設けられている。表Ｖ谷溝２１Ｒは、共に平面状の第１のり面２１ａと第２のり面２１ｂとからなり、両端を複セグメント板５の上辺、下辺にそれぞれ至らせて直線状に設けられており、その深さは、図２（ｂ）に良好に示されるように、複セグメント板５（縦長セグメント４Ｌ、４Ｒ及びプリズム部９以外の平板状の部分）の板厚の１／２を上回っている。
【００３０】
また、縦長セグメント４Ｒの左側の背面部には、表Ｖ谷溝２１Ｒと同様に、共に平面状の第１のり面２２ａと第２のり面２２ｂとからなる裏Ｖ谷溝２２Ｒが設けられている。裏Ｖ谷溝２２Ｒは、表Ｖ谷溝２１Ｒの左側（但し背面）にて表Ｖ谷溝２１Ｒと平行に設けられ、両端を複セグメント板５の上辺、下辺にそれぞれ至らせて直線状に設けられている。裏Ｖ谷溝２２Ｒの深さは、図２（ｂ）に良好に示されるように、複セグメント板５（縦長セグメント４Ｌ、４Ｒ及びプリズム部９以外の平板状の部分）の板厚の１／２を上回っており、表Ｖ谷溝２１Ｒと入れ違い状になっている。
【００３１】
一方、縦長セグメント４Ｌの右側にては、表Ｖ谷溝２１Ｒと同様の表Ｖ谷溝２１Ｌが前面部に、裏Ｖ谷溝２２Ｒと同様の裏Ｖ谷溝２２Ｌが背面部に設けられている。表Ｖ谷溝２１Ｌと裏Ｖ谷溝２２Ｌとによる構造は、表Ｖ谷溝２１Ｒと裏Ｖ谷溝２２Ｒとによる構造と鏡像的であるが、表Ｖ谷溝２１Ｌ、裏Ｖ谷溝２２Ｌ、表Ｖ谷溝２１Ｒ、裏Ｖ谷溝２２Ｒが複セグメント板５の上下方向に対して時計回りにわずかに傾いた（本実施例では上下方向に対して時計回りに７度傾かせた）姿勢で互いに平行になっているので、正確な鏡像関係ではない。
［複セグメント板５に入射した光］
次に、ＬＥＤ１２から複セグメント板５に入射した光の進路等を、主に図２（ｂ）を参照して説明する。
【００３２】
ＬＥＤ１２を点灯すると、ＬＥＤ１２から放射される光が入射端面１０から複セグメント板５に入射する。入射端面１０から入射した光は斜面８に入射し、ほとんどがここで反射される。入射端面１０と斜面８との角度が４０度になっているので、斜面８での反射光は、ＬＥＤ１２の像１２Ｐから放射されたごとくに、反射光軸ＬｃＰに沿って複セグメント板５内を進行する。複セグメント板５の表裏面（空気との界面）にては、図示するように光の入射角度が浅くなるので、ほぼ全反射になり複セグメント板５の外へは漏れ出さない。
（ａ）縦長セグメント４Ｒへの入射光
複セグメント板５の右側に配されているＬＥＤ１２から出て、入射端面１０に入射し斜面８で反射された光は、おおむねは矢印Ｌｉで示すように右から左方向に進んで縦長セグメント４Ｒに至る。
【００３３】
それらは、（１）凹陥部１７に出るか、（２）プリズムアレイ１８Ｒに入射するか、（３）プリズムアレイ１８Ｒと放射レンズ部１６（凸部分）との間を通過するかの何れかになる。
（１）凹陥部１７に出た光
凹陥部１７に出た光の多くは複セグメント板５から背後側に放射され、一部が凹陥部１７の内周から、またはプリズムアレイ１８Ｒから複セグメント板５に再入射する。背後側に放射された光は前面側に位置する観察者には、まず見えない。
（２）プリズムアレイ１８Ｒに入射した光
プリズムアレイ１８Ｒに右側から入射した光は、上述したように第２面１８ｂにて、図２において上向き（おおむね矢印Ｌｒにそった方向）に反射されて、
放射レンズ部１６に至り、放射レンズ部１６の表面から複セグメント板５の前方へと放射される。そのため、複セグメント板５の前面側に位置する観察者には放射レンズ部１６（縦長セグメント４Ｒ）が発光して見える。
（３）縦長セグメント４Ｒを左側に通り抜けた光
プリズムアレイ１８Ｒと放射レンズ部１６（凸部分）との間を通過したり、凹陥部１７の内周から再入射したり、或いはプリズムアレイ１８Ｒを通過する等で縦長セグメント４Ｒを左側に通り抜けてしまう光（放射レンズ部１６から放射される光は除く）がある。
【００３４】
そうした光（以下、これを「漏出光」と呼ぶ）の進行方向は一定ではないものの、おおむねは縦長セグメント４Ｒから左へ、つまり縦長セグメント４Ｌへと向かう。すると、漏出光は表Ｖ谷溝２１Ｒと裏Ｖ谷溝２２Ｒとの何れかに必ず入射する。
【００３５】
表Ｖ谷溝２１Ｒに入射した漏出光の多くは第１のり面２１ａによって背面側に反射される（矢印Ｗ１）。そして、わずかな一部が第１のり面２１ａから出て第２のり面２１ｂに入射するが、それは第２のり面２１ｂによって前面側に反射される（矢印Ｗ２）。また、裏Ｖ谷溝２２Ｒに入射した漏出光の多くは第１のり面２２ａによって前面側に反射される（矢印Ｗ３）。そして、わずかな一部が第１のり面２２ａから出て第２のり面２２ｂに入射するが、それは第２のり面２２ｂによって背面側に反射される（矢印Ｗ４）。こうして、漏出光のほとんどが表Ｖ谷溝２１Ｒと裏Ｖ谷溝２２Ｒとによって複セグメント板５の背後側又は前面側に放出されるので、漏出光が表Ｖ谷溝２１Ｒ及び裏Ｖ谷溝２２Ｒを越えて左側に至って、縦長セグメント４Ｌに入射して縦長セグメント４Ｌを発光させるのは防止される。
（ｂ）縦長セグメント４Ｌへの入射光
複セグメント板５の左側に配されているＬＥＤ１２から出て、入射端面１０に入射し斜面８で反射された光は、上述した縦長セグメント４Ｒの場合とは逆に左から右方向に進んで縦長セグメント４Ｌに至る。そして、縦長セグメント４Ｒの場合と同様に、（１）凹陥部１７に出るか、（２）プリズムアレイ１８Ｌに入射するか、（３）プリズムアレイ１８Ｌと放射レンズ部１６（凸部分）との間を通過するかの何れかになる。これら（１）〜（３）の光の進路は縦長セグメント４Ｒ、表Ｖ谷溝２１Ｒ及び裏Ｖ谷溝２２Ｒについて説明したと同様になるので、それぞれの説明は省略する。
（ｃ）縦長セグメント４Ｌ〜４Ｒ間の光
表Ｖ谷溝２１Ｒ及び裏Ｖ谷溝２２Ｒは、縦長セグメント４Ｌ側からの漏出光（矢印Ｗ５）を遮る働きもする。すなわち、左側からの漏出光（矢印Ｗ５）が裏Ｖ谷溝２２Ｒに入射すれば第２のり面２２ｂによって前面側に反射され、第１のり面２２ａによって背面側に反射される。左側からの漏出光（矢印Ｗ５）が表Ｖ谷溝２１Ｒに入射すれば第２のり面２１ｂによって背面側に反射され、第１のり面２１ａによって前面側に反射される。よって、縦長セグメント４Ｌ側からの漏出光（矢印Ｗ５）が縦長セグメント４Ｒに入射するのは防止される。
【００３６】
縦長セグメント４Ｌ側の表Ｖ谷溝２１Ｌ及び裏Ｖ谷溝２２Ｌも、縦長セグメント４Ｒ側からの漏出光に対して同様に機能するので、縦長セグメント４Ｒ側からの漏出光が縦長セグメント４Ｌに入射するのは防止される。
【００３７】
上記（ａ）の（３）の説明で明らかなように、縦長セグメント４Ｒを左側に通り抜けた漏出光は、表Ｖ谷溝２１Ｒ及び裏Ｖ谷溝２２Ｒによって前面側又は背面側に放射されるので、表Ｖ谷溝２１Ｒ及び裏Ｖ谷溝２２Ｒを越えて左側に進行する漏出光の量はきわめて少ない。同様に、縦長セグメント４Ｌからの漏出光が表Ｖ谷溝２１Ｌ及び裏Ｖ谷溝２２Ｌを越えて右側に進行してくる量もきわめて少ない。
【００３８】
従って、縦長セグメント４Ｌ側からの漏出光（矢印Ｗ５）が縦長セグメント４Ｒに入射するのは、皆無とまではいかないものの、ほぼ０に近い。同様に、縦長セグメント４Ｒ側からの漏出光が縦長セグメント４Ｌに入射するのも、ほぼ０に近い。よって、対をなす縦長セグメント４Ｌ、４Ｒが相手方からの漏出光で発光するのはきわめて良好に防止される。
［単セグメント板３の構成］
図１に示す通り、単セグメント板３には横長セグメント２が１つだけ設けられている。
【００３９】
詳細の図示は省略するが、横長セグメント２の前面部は、縦長セグメント４Ｌ、４Ｒと同様にかまぼこ状に凸形状の放射レンズ部（但し、縦長セグメント４Ｌ、４Ｒの放射レンズ部１６を横転させた形態である。）になっている。その放射レンズ部の背後には、縦長セグメント４Ｌ、４Ｒと同様に凹陥部が形成されており、凹陥部の底に相当する部分にはプリズムアレイが設けられている。
【００４０】
横長セグメント２のプリズムアレイは、横長セグメント２の中央部で左右に区分され、右半部は縦長セグメント４Ｒのプリズムアレイ１８Ｒと同様の構造であり、左半部は縦長セグメント４Ｌのプリズムアレイ１８Ｌと同様の構造である。
【００４１】
そして、単セグメント板３の左右の端部には、複セグメント板５のプリズム部９と同様のプリズム部が形成されており、ＬＥＤ１２から照射される光がプリズム部の前面に設けられた入射端面に照射される構成である。
【００４２】
このため、右側のＬＥＤ１２を点灯すると横長セグメント２のプリズムアレイの右半部が明るく発光し左側のＬＥＤ１２を点灯すると横長セグメント２のプリズムアレイの左半部が明るく発光する。つまり、単セグメント板３の左右のＬＥＤ１２を一斉に点灯すると、横長セグメント２の全体が発光する。
【００４３】
なお、プリズムアレイの右半部から左半部へ、また左半部から右半部へ漏れる光があっても、そうした光も横長セグメント２を発光させることになるので問題はない。或いは、横長セグメント２を通り過ぎて左右端部に抜ける光もあり得るが、それらが問題になるわけではない。従って、横長セグメント２には、表Ｖ谷溝２１Ｒ、２１Ｌ、裏Ｖ谷溝２２Ｒ、２２Ｌのような、漏出光対策のための構造は備わっていない。
［７セグメント表示器１の表示動作］
本実施例の７セグメント表示器１は、３枚の単セグメント板３と２枚の複セグメント板５とを、単セグメント板３、複セグメント板５、単セグメント板３、複セグメント板５、単セグメント板３の順で交互に積み重ね状に配してある。また、制御部は、各複セグメント板５については右側のＬＥＤ１２と左側のＬＥＤ１２とを別々に且つ各側については一斉に点灯、消灯させ、各単セグメント板３については右側と左側のＬＥＤ１２を一斉に点灯、消灯させることができる。すなわち、制御部は、３つの横長セグメント２と４つの縦長セグメント４Ｌ、４Ｒとからなり、８字状に組み合わせられた７セグメントを各１つずつ発光制御できるので、周知の７セグメント表示器と同様に０〜９の数字を表示できる。
【００４４】
その発光時には、縦長セグメント４Ｒを発光させるための光が縦長セグメント４Ｌ側に漏れて縦長セグメント４Ｌに入射してこれを発光させることはなく、縦長セグメント４Ｒだけを発光させるはずが（例えば「１」を表示するはずが）、縦長セグメント４Ｌまで発光させてしまう（１１のようになる）のを防止できる。同様に、縦長セグメント４Ｌを発光させるための光が縦長セグメント４Ｒ側に漏れて縦長セグメント４Ｒに入射してこれを発光させることもなく、縦長セグメント４Ｌだけを発光させるはずが縦長セグメント４Ｒまで発光させてしまう（例えば「５」や「２」のはずが「９」や「６」になる）のを防止できる。
【００４５】
また、上下に隣接する単セグメント板３と複セグメント板５とは、互いの上下端面同士を単に接触させているだけなので、それぞれの上端面又は下端面から漏れた光が対面する隣の端面に入射しても、大半は反射されてしまうから、相手方を発光させるおそれはない。例えば複セグメント板５内を斜め上向き又は斜め下向きに進む光が上端面又は下端面から漏れて、単セグメント板３の横長セグメント２までも発光させてしまうおそれはない。
【００４６】
さらに、複セグメント板５の縦長セグメント４Ｌ、４Ｒ間の略４角形の区画は透明であるから、その背後に装飾用の部材や、７セグメント表示器とは別の表示器等を配置することができる。
［その他］
本発明の７セグメント表示器は（その構成部品である本発明の発光表示器も）、特許文献１に開示されている可変表示装置と同様に、パチンコ機やスロットマシン等の遊技機にて図柄表示装置として使用できるが、基本は７セグメント表示器であるから図柄表示装置以外の用途に使用できることは言うまでもない。
【００４７】
また、実施例では単セグメント板３、複セグメント板５の左右の端部にプリズム部９を形成して、プリズム部９の前面の入射端面１０にＬＥＤ１２の光を照射する構成を採用しているが、左右の端面を前面又は背面に垂直な平坦面として（つまり、プリズム部９は設けずに）、ＬＥＤ１２の光を左右の端面に照射する構成としてもよい。或いは、実施例のプリズム部９とは前後を入れ替えた構造のプリズム部にして、ＬＥＤ１２を単セグメント板３、複セグメント板５の背面側に配置することもできる。
【００４８】
縦長セグメント４Ｌには表Ｖ谷溝２１Ｌと裏Ｖ谷溝２２Ｌとによる構造を並設し、縦長セグメント４Ｒには表Ｖ谷溝２１Ｒと裏Ｖ谷溝２２Ｒとによる構造を並設しているが、縦長セグメント１本あたりの表Ｖ谷溝と裏Ｖ谷溝との組を２組以上にしてもよい。
【図面の簡単な説明】
【００４９】
【図１】実施例の７セグメント表示器の正面図。
【図２】図１のＡ−Ａ断面図（ａ）及び複セグメント板における光路の説明図（ｂ）。
【符号の説明】
【００５０】
１・・・７セグメント表示器、
２・・・横長セグメント、
３・・・単セグメント板、
４Ｌ、４Ｒ・・・縦長セグメント、
５・・・複セグメント板、
７Ｌ、７Ｒ・・・支持ケース、
８・・・斜面、
９・・・プリズム部、
１０・・・入射端面、
１３・・・プリント基板、
１６・・・放射レンズ部、
１７・・・凹陥部、
１８Ｌ、１８Ｒ・・・プリズムアレイ、
１８ａ・・・第１面、
１８ｂ・・・第２面、
１８ｃ・・・稜線、
２１Ｌ、２１Ｒ・・・表Ｖ谷溝、
２１ａ・・・第１のり面、
２１ｂ・・・第２のり面、
２２Ｌ、２２Ｒ・・・裏Ｖ谷溝、
２２ａ・・・第１のり面、
２２ｂ・・・第２のり面。
【図１】
2010091964.tif 000003
【図２】
2010091964.tif 000004